(57)【要約】【課題】面会のための患者の移動負担を軽減可能な面会場所を決定すること。【解決手段】場所決定プログラムは、患者に対する診療のスケジュール情報を参照して、前記診療の時間帯と、前記患者との面会の予定時間帯との時間差を算出し、前記時間差が所定の範囲内である場合に、前記時間差の大きさに応じて、前記診療の場所に近い場所を優先して面会場所を決定する、処理をコンピュータに実行させる。【選択図】図４
2018088063.tif 000002
【特許請求の範囲】
【請求項１】
患者に対する診療のスケジュール情報を参照して、前記診療の時間帯と、前記患者との面会の予定時間帯との時間差を算出し、
前記時間差が所定の範囲内である場合に、前記時間差の大きさに応じて、前記診療の場所に近い場所を優先して面会場所を決定する、
処理をコンピュータに実行させることを特徴とする場所決定プログラム。
【請求項２】
前記スケジュール情報を参照して、前記面会の予定時間帯の前又は後における前記患者の居場所を推定し、
前記患者の容体を記憶した第１の記憶部と、容体ごとに移動に関する条件を記憶した第２の記憶部とを参照して、前記患者に対応する条件を特定し、
特定した条件を満たすように、前記診療の場所と前記居場所との間の移動経路を探索し、
探索した移動経路に沿った場所を面会場所の候補として選択する、
処理をコンピュータに実行させることを特徴とする請求項１記載の場所決定プログラム。
【請求項３】
患者に対する診療のスケジュール情報を参照して、前記診療の時間帯と、前記患者との面会の予定時間帯との時間差を算出する算出部と、
前記時間差が所定の範囲内である場合に、前記時間差の大きさに応じて、前記診療の場所に近い場所を優先して面会場所を決定する決定部と、
を有することを特徴とする場所決定装置。
【請求項４】
患者に対する診療のスケジュール情報を参照して、前記診療の時間帯と、前記患者との面会の予定時間帯との時間差を算出し、
前記時間差が所定の範囲内である場合に、前記時間差の大きさに応じて、前記診療の場所に近い場所を優先して面会場所を決定する、
処理をコンピュータが実行することを特徴とする場所決定方法。
【発明の詳細な説明】
【技術分野】
【０００１】
本発明は、場所決定プログラム、場所決定装置及び場所決定方法に関する。
【背景技術】
【０００２】
入院患者との面会は、所定の面会場所において行われるのが一般的である。複数の面会場所が有る場合、患者の病室に最も近い面会場所が割り当てられれば、患者の移動負担の軽減することができる。
【先行技術文献】
【特許文献】
【０００３】
【特許文献１】特開２００８−２２５８３４号公報
【特許文献２】特開２０１３−２２２２６９号公報
【特許文献３】特開２０１４−２３２３６７号公報
【発明の概要】
【発明が解決しようとする課題】
【０００４】
しかしながら、患者が常に病室に居るとは限らない。診療を受けるために、患者が診察室、検査室、又は手術室等に移動する場合も有る。患者が病室に居ない時間帯において、当該患者の病室に最も近い面会場所が割り当てられると、却って患者の移動負担が高くなる可能性が有る。
【０００５】
そこで、一側面では、本発明は、面会のための患者の移動負担を軽減可能な面会場所を決定することを目的とする。
【課題を解決するための手段】
【０００６】
一つの態様では、場所決定プログラムは、患者に対する診療のスケジュール情報を参照して、前記診療の時間帯と、前記患者との面会の予定時間帯との時間差を算出し、前記時間差が所定の範囲内である場合に、前記時間差の大きさに応じて、前記診療の場所に近い場所を優先して面会場所を決定する、処理をコンピュータに実行させる。
【発明の効果】
【０００７】
一側面として、面会のための患者の移動負担を軽減可能な面会場所を決定することを目的とする。
【図面の簡単な説明】
【０００８】
【図１】本発明の実施の形態における情報処理システムの構成例を示す図である。
【図２】本発明の実施の形態における面会場所決定装置１０のハードウェア構成例を示す図である。
【図３】本発明の実施の形態における面会場所決定装置１０の機能構成例を示す図である。
【図４】面会場所決定装置１０が実行する処理手順の一例を説明するためのフローチャートである。
【図５】スケジュール記憶部１１１の構成例を示す図である。
【図６】位置情報記憶部１１２の構成例を示す図である。
【図７】各フロアの２次元座標系の一例を示す図である。
【図８】容体記憶部１１３の構成例を示す図である。
【図９】移動条件記憶部１１４の構成例を示す図である。
【図１０】アクセスポイントへの接続履歴の一例を示す図である。
【図１１】面会場所の決定処理の処理手順の一例を説明するためのフローチャートである。
【図１２】予約情報記憶部１１５の構成例を示す図である。
【発明を実施するための形態】
【０００９】
以下、図面に基づいて本発明の実施の形態を説明する。図１は、本発明の実施の形態における情報処理システムの構成例を示す図である。図１において、情報処理システム１は、或る病院（以下、「病院Ａ」という。）において利用される情報処理システムであり、面会場所決定装置１０及び１以上のユーザ端末２０等を含む。面会場所決定装置１０と各ユーザ端末２０とは、ＬＡＮ（Local Area Network）又はインターネット等のネットワークを介して接続される。
【００１０】
ユーザ端末２０は、例えば、病院Ａにおいて勤務する職員（医師、看護師、事務担当者等）によって利用される端末である。複数のユーザ端末２０が情報処理システム１に含まれてもよい。本実施の形態において、ユーザ端末２０は、患者との面会希望に関する情報の入力に利用される。
【００１１】
面会場所決定装置１０は、面会希望において面会対象とされている患者との面会場所を決定する１以上のコンピュータである。なお、本実施の形態において、診療とは、例えば、診察、手術、検査、一般的に病院において行われる各種の医療行為をいう。
【００１２】
図２は、本発明の実施の形態における面会場所決定装置１０のハードウェア構成例を示す図である。図２の面会場所決定装置１０は、それぞれバスＢで相互に接続されているドライブ装置１００、補助記憶装置１０２、メモリ装置１０３、ＣＰＵ１０４、及びインタフェース装置１０５等を有する。
【００１３】
面会場所決定装置１０での処理を実現するプログラムは、記録媒体１０１によって提供される。プログラムを記録した記録媒体１０１がドライブ装置１００にセットされると、プログラムが記録媒体１０１からドライブ装置１００を介して補助記憶装置１０２にインストールされる。但し、プログラムのインストールは必ずしも記録媒体１０１より行う必要はなく、ネットワークを介して他のコンピュータよりダウンロードするようにしてもよい。補助記憶装置１０２は、インストールされたプログラムを格納すると共に、必要なファイルやデータ等を格納する。
【００１４】
メモリ装置１０３は、プログラムの起動指示があった場合に、補助記憶装置１０２からプログラムを読み出して格納する。ＣＰＵ１０４は、メモリ装置１０３に格納されたプログラムに従って面会場所決定装置１０に係る機能を実行する。インタフェース装置１０５は、ネットワークに接続するためのインタフェースとして用いられる。
【００１５】
なお、記録媒体１０１の一例としては、ＣＤ−ＲＯＭ、ＤＶＤディスク、又はＵＳＢメモリ等の可搬型の記録媒体が挙げられる。また、補助記憶装置１０２の一例としては、ＨＤＤ（Hard Disk Drive）又はフラッシュメモリ等が挙げられる。記録媒体１０１及び補助記憶装置１０２のいずれについても、コンピュータ読み取り可能な記録媒体に相当する。
【００１６】
図３は、本発明の実施の形態における面会場所決定装置１０の機能構成例を示す図である。図３において、面会場所決定装置１０は、面会希望受信部１１、居場所推定部１２、移動条件特定部１３、移動経路探索部１４、候補選択部１５、面会場所決定部１６及び応答部１７等を有する。これら各部は、面会場所決定装置１０にインストールされた１以上のプログラムが、ＣＰＵ１０４に実行させる処理により実現される。面会場所決定装置１０は、また、スケジュール記憶部１１１、位置情報記憶部１１２、容体記憶部１１３、移動条件記憶部１１４及び予約情報記憶部１１５等を利用する。これら各記憶部は、例えば、補助記憶装置１０２、又は面会場所決定装置１０にネットワークを介して接続可能な記憶装置等を用いて実現可能である。
【００１７】
面会希望受信部１１は、ユーザ端末２０において入力される面会希望情報をユーザ端末２０から受信する。面会希望情報には、例えば、面会予定時間帯及び面会対象の患者（以下、「対象患者」という。）の識別情報等が含まれる。面会予定時間帯は、面会開始予定時刻と面会終了予定時刻とによって規定される期間（時間帯）をいう。なお、本実施の形態において、時刻は、日付も特定された概念であるとする。
【００１８】
居場所推定部１２は、面会予定時間帯の前後における対象患者の居場所をスケジュール記憶部１１１を参照して推定（特定）し、各居場所の位置情報を位置情報記憶部１１２から取得する。スケジュール記憶部１１１には、各患者の診療に関するスケジュール情報が記憶されている。位置情報記憶部１１２には、病院Ａにおける各施設（病室や手術室等）の位置情報が記憶されている。
【００１９】
移動条件特定部１３は、対象患者の容体に応じた移動条件を、容体記憶部１１３及び移動条件記憶部１１４を参照して特定する。容体記憶部１１３には、各患者の容体を示す情報が記憶されている。移動条件記憶部１１４には、容体ごとに、移動条件が記憶されている。移動条件とは、移動に関する制約条件をいう。
【００２０】
移動経路探索部１４は、面会予定時間帯の前における対象患者の居場所と、面会予定時間帯の後における対象患者の居場所との間で、移動条件を満たす移動経路を探索（特定）する。
【００２１】
候補選択部１５は、病院Ａにおいて面会場所として利用可能な複数の来客室の中から、移動経路に沿った（移動経路に面した）来客室を、対象患者との面会場所の候補として選択する。
【００２２】
面会場所決定部１６は、面会場所の候補に含まれており、かつ、面会予定時間帯において予約されていない来客室の中からいずれかの来客室を、対象患者との面会場所として決定する。この際、面会場所決定部１６は、面会の前又は後において、対象患者について診療が予定されており、当該診療の終了時期と面会の開始時期との時間差、又は当該面会の終了時期と当該診療の開始時期との時間差の大きさに応じて、診療の場所に近い来客室を優先して、対象患者との面会場所を決定する。なお、面会予定時間帯における各来客室の予約の有無は、予約情報記憶部１１５を参照して判定可能である。すなわち、予約情報記憶部１１５には、来客室の予約状況を示す情報が記憶されている。
【００２３】
応答部１７は、決定された面会場所を示す応答をユーザ端末２０に返信する。
【００２４】
以下、面会場所決定装置１０が実行する処理手順について説明する。図４は、面会場所決定装置１０が実行する処理手順の一例を説明するためのフローチャートである。
【００２５】
ステップＳ１０１において、面会希望受信部１１は、面会希望情報をユーザ端末２０から受信する。例えば、対象患者との面会希望が受け付けられると、当該面会希望に関する面会予定時間帯（面会開始予定時刻及び面会終了予定時刻）と対象患者の患者ＩＤがユーザ端末２０に入力される。ユーザ端末２０は、入力された面会予定時間帯及び対象患者の患者ＩＤを含む面会希望情報を面会場所決定装置１０に送信する。なお、患者ＩＤは、情報処理システム１において患者ごとに割り当てられる識別情報である。
【００２６】
続いて、居場所推定部１２は、スケジュール記憶部１１１を参照して、面会予定時間帯において対象患者が診療中であるか否かを判定する（Ｓ１０２）。
【００２７】
図５は、スケジュール記憶部１１１の構成例を示す図である。図５において、スケジュール記憶部１１１には、患者に対するオーダごとに、患者ＩＤ、患者氏名、オーダ種別及びオーダ内容等を含む。
【００２８】
患者ＩＤ及び患者氏名は、診療に関するオーダの対象の患者の患者ＩＤ及び氏名である。オーダ種別は、オーダの種別又は区分である。オーダ内容は、オーダに関する詳細情報である。オーダ種別が「入院」であれば、オーダ内容には、例えば、入院期間及び病室等が含まれる。オーダ種別が「診察」であれば、オーダ内容には、例えば、診察日、時間、場所及び内容等が含まれる。オーダ種別が「手術」であれば、オーダ内容には、例えば、手術日、時間、場所及び内容等が含まれる。
【００２９】
ステップＳ１０２において、診療中であるか否かは、スケジュール記憶部１１１において、対象患者に対するレコード（オーダ）に係る時間（診察の時間や手術の時間等の診療時間）と、面会予定時間帯との間に重複が有るか否かによって判定される。すなわち、少なくとも一部が重複していれば、対象患者は診療中であると判定される。そうでなければ、対象患者は診療中ではないと判定される。なお、病室と診療場所（診察室や手術室等）との間の患者の移動をも考慮して、オーダに係る時間の前後を拡張して面会予定時間帯との重複の有無が判定されてもよい。すなわち、患者の移動時間も診療中の時間に含められてもよい。
【００３０】
対象患者が面会予定時間帯において診療中である場合（Ｓ１０２でＹｅｓ）、応答部１７は、エラーを示す応答をユーザ端末２０に返信する（Ｓ１０３）。この場合、改めて面会希望情報が入力されてもよい。
【００３１】
一方、対象患者が面会予定時間帯において診療中でない場合（Ｓ１０２でＮｏ）、居場所推定部１２は、面会予定時間帯の前の所定時間内に、対象患者について診療予定が有るか否かをスケジュール記憶部１１１を参照して判定する（Ｓ１０４）。すなわち、当該所定時間内に重複する時間において予定されているオーダがスケジュール記憶部１１１に記憶されているか否かが判定される。ここでの所定時間には、例えば、対象患者が診療後に病室には帰らずに面会場所へ移動することが予想される時間（例えば、３０分等）が設定されてもよい。
【００３２】
該当するオーダがスケジュール記憶部１１１に記憶されている場合（Ｓ１０４でＹｅｓ）、居場所推定部１２は、当該オーダの診療場所（診察室又は手術室等）を、対象患者の面会前の居場所として推定（特定）する（Ｓ１０５）。続いて、居場所推定部１２は、面会開始予定時刻から当該オーダに係る診療の終了時刻を差し引いた値を変数Ｔ１に代入する（Ｓ１０６）。すなわち、変数Ｔ１には、面会前の診療が終了してから面会が開始されるまでの時間（面会前の診療の時間帯と面会予定時間帯との時間差）が代入される。以下、変数Ｔ１が示す時間を、「面会前余裕時間Ｔ１」という。
【００３３】
続いて、居場所推定部１２は、面会前の居場所の位置情報を位置情報記憶部１１２から取得する（Ｓ１０９）。
【００３４】
図６は、位置情報記憶部１１２の構成例を示す図である。図６に示されるように、位置情報記憶部１１２には、病院Ａにおける施設ごとに、施設名、フロア、Ｘ座標値及びＹ座標値等が記憶されている。施設名は、施設の名称である。フロアは、当該施設が配置されているフロア（階）である。Ｘ座標値及びＹ座標値は、当該フロアにおける所定の２次元座標系において、当該施設の位置に対応するＸ座標値及びＹ座標値である。
【００３５】
図７は、各フロアの２次元座標系の一例を示す図である。図７には、病院Ａの１階及び２階のそれぞれの座標系が示されている。
【００３６】
一方、ステップＳ１０４において該当するオーダがスケジュール記憶部１１１に記憶されていない場合（Ｓ１０４でＮｏ）、居場所推定部１２は、対象患者の病室を面会前の居場所として推定（特定）する（Ｓ１０７）。対象患者の病室は、スケジュール記憶部１１１において対象患者の患者ＩＤを含むレコードのうち、オーダ種別が「入院」であるレコードの「オーダ内容」の「場所」を参照して特定することができる。
【００３７】
続いて、居場所推定部１２は、面会前余裕時間Ｔ１に最大値を設定する（Ｓ１０８）。当該最大値は、ステップＳ１０４における所定時間よりも大きな値であればよい。なお、この場合、ステップＳ１０９では、対象患者の病室の位置情報が位置情報記憶部１１２から取得される。
【００３８】
ステップＳ１０９に続いて、居場所推定部１２は、面会予定時間帯の後の所定時間内に、対象患者について診療予定が有るか否かをスケジュール記憶部１１１を参照して判定する（Ｓ１１０）。すなわち、当該所定時間内に重複する時間において予定されているオーダがスケジュール記憶部１１１に記憶されているか否かが判定される。ここでの所定時間には、例えば、対象患者が面会後に病室には帰らずに診療場所へ移動することが予想される時間が設定されてもよい。当該所定時間は、ステップＳ１０４における所定時間と同じでもよい。
【００３９】
該当するオーダがスケジュール記憶部１１１に記憶されている場合（Ｓ１１０でＹｅｓ）、居場所推定部１２は、当該オーダの診療場所（診察室又は手術室等）を、対象患者の面会後の居場所として推定（特定）する（Ｓ１１１）。続いて、居場所推定部１２は、当該オーダに係る診療の開始時刻から面会予定終了時刻を差し引いた値を変数Ｔ２に代入する（Ｓ１１２）。すなわち、変数Ｔ２には、面会が終了してから面会後の診療が開始されるまでの時間（面会後の診療の時間帯と面会予定時間帯との時間差）が代入される。以下、変数Ｔ２が示す時間を、「面会後余裕時間Ｔ２」という。
【００４０】
続いて、居場所推定部１２は、面会後の居場所の位置情報を位置情報記憶部１１２から取得する（Ｓ１１５）。
【００４１】
一方、ステップＳ１１０において該当するオーダがスケジュール記憶部１１１に記憶されていない場合（Ｓ１１０でＮｏ）、居場所推定部１２は、対象患者の病室を面会後の居場所として推定（特定）する（Ｓ１１５）。続いて、居場所推定部１２は、面会後余裕時間Ｔ２に最大値を設定する（Ｓ１１４）。当該最大値は、ステップＳ１０８における最大値と同じでよい。なお、この場合、ステップＳ１１５では、対象患者の病室の位置情報が位置情報記憶部１１２から取得される。
【００４２】
ステップＳ１１５に続いて、移動条件特定部１３は、容体記憶部１１３を参照して対象患者の容体を特定する（Ｓ１１６）。
【００４３】
図８は、容体記憶部１１３の構成例を示す図である。図８に示されるように、容体記憶部１１３には、患者ごとに、患者ＩＤ、患者氏名、容体及び備考等が記憶されている。本実施の形態において、容体は、患者の移動能力に関する容体である。図８では、容体の一例として、「車椅子」、「松葉杖」及び「歩行」等が示されている。「車椅子」は、移動には車椅子が必要な容体を示す。「松葉杖」は、移動には松葉杖が必要な容体を示す。「歩行」は、車椅子および松葉杖を必要とせずに移動可能な容体を示す。
【００４４】
備考は、容体に関する付随情報である。例えば、歩行が可能であっても、階段の上り下りができない患者については、「階段不可」が備考として記憶されている。
【００４５】
ステップＳ１１６では、対象患者の患者ＩＤを含むレコードから、容体及び備考が取得される。
【００４６】
続いて、移動条件特定部１３は、移動条件記憶部１１４を参照して、対象患者の容体に対応する移動条件を特定する（Ｓ１１７）。
【００４７】
図９は、移動条件記憶部１１４の構成例を示す図である。図９に示されるように、移動条件記憶部１１４には、容体ごとに移動条件が記憶されている。移動条件は、移動経路の探索の際に、制約条件とされる情報である。例えば、「階段可」は、階を跨ぐ移動において、階段の利用が許容されることを示す。また、エレベータ経由は、階を跨ぐ移動において、エレベータの利用が強制されることを示す。なお、ステップＳ１１６において容体と共に備考が取得され、当該備考の内容が移動条件に整合しない場合、当該備考の内容が優先されるようにしてもよい。例えば、容体が「歩行」であり、備考が「階段不可」である場合、「階段不可」又は「エレベータ経由」が移動条件とされてもよい。
【００４８】
なお、移動条件記憶部１１４に記憶される情報は、ユーザによって予め設定されてもよいし、各患者の移動経路の履歴に基づいて移動条件特定部１３が自動的に導出するようにしてもよい。移動条件特定部１３が自動的に導出する場合、患者の移動経路の履歴は、例えば、各患者が携帯する無線端末による、病院Ａ内の各場所に設置されたアクセスポイントへの接続履歴に基づいて導出されてもよい。
【００４９】
図１０は、アクセスポイントへの接続履歴の一例を示す図である。図１０に示されるように、接続履歴には、アクセスポイントへの接続ごとに、患者ＩＤ及びアクセス情報が含まれる。アクセス情報は、アクセスポイントの位置及びアクセスポイントへの接続の日時等を含む情報である。
【００５０】
このような接続履歴に基づいて、例えば、各患者について、複数の移動経路が導出される。導出された移動経路の履歴が、容体ごとに分類されて、容体ごとの移動経路の集合に基づいて、各容体の移動条件が判定されてもよい。例えば、或る容体に関して、階段を利用している移動経路の割合が８０％以上であれば、当該容体については、「階段可」が移動条件として判定されてもよい。
【００５１】
続いて、移動経路探索部１４は、対象患者の面会前の居場所から面会後の居場所までの移動経路を探索する（Ｓ１１８）。この際、ステップＳ１１７において特定された移動条件を満たす移動経路が探索される。なお、移動経路の探索は、例えば、道路のナビゲーション技術や鉄道経路の探索技術等の公知技術を利用して行うことができる。例えば、道路のナビゲーション技術においては、高速道路の利用の可否等が制約条件として設定可能であり、鉄道経路の探索技術においては、有料電車の利用の可否等を制約条件として設定可能であるが、本実施の形態における移動経路の探索では、ステップＳ１１７において特定された移動条件が、斯かる制約条件と同様に利用されればよい。
【００５２】
続いて、候補選択部１５は、移動経路沿い（移動経路に面した）来客室を列挙する（Ｓ１１９）。例えば、位置情報記憶部１１２（図６）に位置情報が記憶されている来客室のうち、位置情報が移動経路沿いである来客室が列挙される。列挙された来客室が、対象患者に係る面会場所の候補として選択される。
【００５３】
続いて、面会場所決定部１６は、選択された候補の中から、対象患者に係る面会場所を決定する（Ｓ１２０）。続いて、応答部１７は、決定された面会場所を示す応答をユーザ端末２０へ返信する（Ｓ１２１）。
【００５４】
続いて、ステップＳ１２０の詳細について説明する。図１１は、面会場所の決定処理の処理手順の一例を説明するためのフローチャートである。
【００５５】
ステップＳ２０１において、面会場所決定部１６は、図４のステップＳ１１９において選択された候補の中から、対象患者に係る面会予定時間帯において予約されていない候補を抽出する。各来客室の予約の有無は、予約情報記憶部１１５を参照して判定可能である。
【００５６】
図１２は、予約情報記憶部１１５の構成例を示す図である。図１２に示されるように、予約情報記憶部１１５には、来客室の予約ごとに、予約時間帯、予約場所及び患者ＩＤ等が記憶されている。予約時間帯は、予約されている時間帯である。予約場所は、予約されている来客室の名称である。患者ＩＤは、予約に係る患者の患者ＩＤである。
【００５７】
ステップＳ２０１では、面会予定時間帯と少なくとも一部が重複している予約時間帯において予約されている来客室が、候補の中から除外される。以下、該当する来客室の除外後の候補群を、「面会場所候補」という。
【００５８】
続いて、面会場所決定部１６は、面会前余裕時間Ｔ１と面会後余裕時間Ｔ２とを比較する。面会前余裕時間Ｔ１の方が面会後余裕時間Ｔ２よりも短い場合（Ｓ２０２でＹｅｓ）、面会場所決定部１６は、面会前余裕時間Ｔ１を閾値θと比較する（Ｓ２０３）。閾値θは、例えば、図４のステップＳ１０４における所定時間よりも短い時間でもよい。面会前余裕時間Ｔ１が閾値θよりも短い場合（Ｓ２０３でＹｅｓ）、面会場所決定部１６は、面会場所候補の中で、面会前の居場所に最も近い候補を選択する（Ｓ２０４）。すなわち、当該候補が、対象患者に係る面会場所として決定される。面会前余裕時間Ｔ１が短いため、面会前の居場所に近い面会場所を優先して選択する趣旨である。
【００５９】
なお、ステップＳ２０４においては、移動経路とは関係無く、面会予定時間帯に予約がされていない来客室の中で、面会前の居場所に最も近い来客室が面会場所として選択されるようにしてもよい。
【００６０】
面会前余裕時間Ｔ１が閾値θ以上である場合（Ｓ２０３でＹｅｓ）、面会場所決定部１６は、面会場所候補の中で、面会前の居場所と面会後の居場所との中間付近の候補を選択する（Ｓ２０９）。すなわち、当該候補が、対象患者に係る面会場所として決定される。中間付近の面会場所とは、例えば、面会前の居場所からの距離と、面会後の居場所からの距離との差分が最小となるような面会場所である。但し、ステップＳ２０９では、面会場所候補のうちのいずれの候補が選択されてもよい。
【００６１】
一方、面会後余裕時間Ｔ２の方が面会前余裕時間Ｔ１よりも短い場合（Ｓ２０２でＮｏ、かつ、Ｓ２０６でＹｅｓ）、面会場所決定部１６は、面会後余裕時間Ｔ２を閾値θと比較する（Ｓ２０７）。面会後余裕時間Ｔ２が閾値θよりも短い場合（Ｓ２０７でＹｅｓ）、面会場所決定部１６は、面会場所候補の中で、面会後の居場所に最も近い候補を選択する（Ｓ２０８）。すなわち、当該候補が、対象患者に係る面会場所として決定される。
【００６２】
面会前余裕時間Ｔ１と面会後余裕時間Ｔ２とが同じである場合（Ｓ２０２でＮｏ、かつ、Ｓ２０６でＮｏ）、又は面会後余裕時間Ｔ２が閾値θ以上である場合（Ｓ２０７でＹｅｓ）、ステップＳ２０５が実行される。
【００６３】
ステップＳ２０４、Ｓ２０５、又はＳ２０８に続いて、面会場所決定部１６は、面会場所として選択された来客室に関する予約情報を、予約情報記憶部１１５に記憶する（Ｓ２０９）。すなわち、面会予定時間帯を予約時間帯として含み、当該来客室の名称を予約場所として含み、対象患者の患者ＩＤを含むレコードが予約情報記憶部１１５に追加される。
【００６４】
上述したように、本実施の形態によれば、面会前又は面会後の診療の時間帯と、面会の予定時間帯との時間差に応じて、面会前又は面会後の診療場所に近い場所が優先されて面会場所として選択される。したがって、面会のための患者の移動負担を軽減可能な面会場所を決定することができる。
【００６５】
また、面会の前後における患者の移動経路に沿った場所が面会場所として選択されることによって、患者の移動負担を更に軽減することができる。
【００６６】
なお、本実施の形態において、面会場所決定装置１０は、場所決定装置の一例である。居場所推定部１２は、算出部の一例である。面会場所決定部１６は、決定部の一例である。容体記憶部１１３は、第１の記憶部の一例である。移動条件記憶部１１４は、第２の記憶部の一例である。
【００６７】
以上、本発明の実施例について詳述したが、本発明は斯かる特定の実施形態に限定されるものではなく、特許請求の範囲に記載された本発明の要旨の範囲内において、種々の変形・変更が可能である。
【００６８】
以上の説明に関し、更に以下の項を開示する。
（付記１）
患者に対する診療のスケジュール情報を参照して、前記診療の時間帯と、前記患者との面会の予定時間帯との時間差を算出し、
前記時間差が所定の範囲内である場合に、前記時間差の大きさに応じて、前記診療の場所に近い場所を優先して面会場所を決定する、
処理をコンピュータに実行させることを特徴とする場所決定プログラム。
（付記２）
前記スケジュール情報を参照して、前記面会の予定時間帯の前又は後における前記患者の居場所を推定し、
前記患者の容体を記憶した第１の記憶部と、容体ごとに移動に関する条件を記憶した第２の記憶部とを参照して、前記患者に対応する条件を特定し、
特定した条件を満たすように、前記診療の場所と前記居場所との間の移動経路を探索し、
探索した移動経路に沿った場所を面会場所の候補として選択する、
処理をコンピュータに実行させることを特徴とする付記１記載の場所決定プログラム。
（付記３）
患者に対する診療のスケジュール情報を参照して、前記診療の時間帯と、前記患者との面会の予定時間帯との時間差を算出する算出部と、
前記時間差が所定の範囲内である場合に、前記時間差の大きさに応じて、前記診療の場所に近い場所を優先して面会場所を決定する決定部と、
を有することを特徴とする場所決定装置。
（付記４）
前記スケジュール情報を参照して、前記面会の予定時間帯の前又は後における前記患者の居場所を推定する推定部と、
前記患者の容体を記憶した第１の記憶部と、容体ごとに移動に関する条件を記憶した第２の記憶部とを参照して、前記患者に対応する条件を特定する特定部と、
特定した条件を満たすように、前記診療の場所と前記居場所との間の移動経路を探索する探索部と、
探索した移動経路に沿った場所を面会場所の候補として選択する選択部と、
を有することを特徴とする付記３記載の場所決定装置。
（付記５）
患者に対する診療のスケジュール情報を参照して、前記診療の時間帯と、前記患者との面会の予定時間帯との時間差を算出し、
前記時間差が所定の範囲内である場合に、前記時間差の大きさに応じて、前記診療の場所に近い場所を優先して面会場所を決定する、
処理をコンピュータが実行することを特徴とする場所決定方法。
（付記６）
前記スケジュール情報を参照して、前記面会の予定時間帯の前又は後における前記患者の居場所を推定し、
前記患者の容体を記憶した第１の記憶部と、容体ごとに移動に関する条件を記憶した第２の記憶部とを参照して、前記患者に対応する条件を特定し、
特定した条件を満たすように、前記診療の場所と前記居場所との間の移動経路を探索し、
探索した移動経路に沿った場所を面会場所の候補として選択する、
処理をコンピュータが実行することを特徴とする付記５記載の場所決定方法。
【符号の説明】
【００６９】
１            情報処理システム
１０          面会場所決定装置
１１          面会希望受信部
１２          居場所推定部
１３          移動条件特定部
１４          移動経路探索部
１５          候補選択部
１６          面会場所決定部
１７          応答部
２０          ユーザ端末
１００        ドライブ装置
１０１        記録媒体
１０２        補助記憶装置
１０３        メモリ装置
１０４        ＣＰＵ
１０５        インタフェース装置
１１１        スケジュール記憶部
１１２        位置情報記憶部
１１３        容体記憶部
１１４        移動条件記憶部
１１５        予約情報記憶部
Ｂ            バス
【図１】
2018088063.tif 000003
【図２】
2018088063.tif 000004
【図３】
2018088063.tif 000005
【図４】
2018088063.tif 000006
【図５】
2018088063.tif 000007
【図６】
2018088063.tif 000008
【図７】
2018088063.tif 000009
【図８】
2018088063.tif 000010
【図９】
2018088063.tif 000011
【図１０】
2018088063.tif 000012
【図１１】
2018088063.tif 000013
【図１２】
2018088063.tif 000014